(57)【要約】  情報送受信方法及び装置が提供される。情報送信方法は次のステップを含み、即ち、送信装置が少なくとも時間領域リソースにおける一部のシンボルの数に基づいて、前記時間領域リソースに位置する復調参照信号を確定し、そのうち、前記時間領域リソースに含まれるシンボルの数はスロット又はサブフレームに含まれるシンボルの数以下であり；及び、前記送信装置が少なくとも前記時間領域リソースを使用して、受信装置にデータ情報及び前記復調参照信号を送信するステップである。これにより、ｎｏｎ−ｓｌｏｔのデータ情報伝送をサポートすることができる。
2021531687.tif 000002
【特許請求の範囲】
【請求項１】
情報送信装置であって、
少なくとも時間領域リソースにおける一部のシンボルの数に基づいて、前記時間領域リソースに位置する復調参照信号を確定する信号確定ユニットであって、前記時間領域リソースに含まれるシンボルの数はスロット又はサブフレームに含まれるシンボルの数以下である、信号確定ユニット；及び
少なくとも前記時間領域リソースを使用して、受信装置にデータ情報及び前記復調参照信号を送信する情報送信ユニットを含む、装置。
【請求項２】
請求項１に記載の装置であって、
前記時間領域リソースは、前記データ情報が占用する１つ又は複数のシンボル、及び前記復調参照信号が占用する１つ又は複数のシンボルを含む、装置。
【請求項３】
請求項２に記載の装置であって、
前記時間領域リソースはさらに、自動利得制御のための少なくとも１つのシンボル及び／又はガード周期としての少なくとも１つのシンボルを含む、装置。
【請求項４】
請求項１に記載の装置であって、
前記時間領域リソースがサイドリンク情報の送信又は受信のために用いられ、
前記時間領域リソースにおける一部のシンボルの数は前記時間領域リソースにおける自動利得制御のための少なくとも１つのシンボル及び／又はガード周期としての少なくとも１つのシンボルを除いた後の残りのシンボルの数である、装置。
【請求項５】
請求項１に記載の装置であって、
前記信号確定ユニットは少なくとも、前記時間領域リソースにおける一部のシンボルの数に基づいて、前記時間領域リソースに位置する前記復調参照信号が占用するシンボルの数及び所在するシンボルの位置を確定する、装置。
【請求項６】
請求項５に記載の装置であって、
前記復調参照信号が占用するシンボルの数及び所在するシンボルの位置はパラメータＤ、Ｃ及び△に基づいて確定され、
Ｄは前記時間領域リソースにおける一部のシンボルの数であり、Ｃは前記復調参照信号の数のパラメータであり、△はシンボルを単位として行われるオフセットを示す、装置。
【請求項７】
請求項６に記載の装置であって、
前記復調参照信号の数パラメータは、事前定義され；又は、ネットワーク装置により、メイン情報ブロック、システム情報ブロック、無線リソース制御シグナリング、及び上りリンク制御情報のうちの１つにより設定される、装置。
【請求項８】
請求項６に記載の装置であって、
Ｄ及びＣの各種の組み合わせについて、△は独立して設定又は確定され、
△は０以上且つ前記スロット又はサブフレームに含まれるシンボルの数以下である、装置。
【請求項９】
請求項４に記載の装置であって、
サイドリンク時間領域リソースが、連続した複数の上りリンクシンボルを含み、
前記サイドリンク時間領域リソースの後の１番目のシンボルが上りリンクシンボル又は柔軟設定シンボルであり、或いは、前記サイドリンク時間領域リソースの後の１番目のシンボルが上りリンクシンボルであり且つ前記上りリンクシンボルがサイドリンク時間領域リソースに属しない場合、前記サイドリンク時間領域リソースには、前記データ情報が占用する１つ又は複数のシンボル及び前記復調参照信号が占用する１つ又は複数のシンボル、或いは、前記データ情報が占用する１つ又は複数のシンボル、前記復調参照信号が占用する１つ又は複数のシンボル、及び前記自動利得制御のための少なくとも１つのシンボルが含まれる、装置。
【請求項１０】
請求項４に記載の装置であって、
複数のサイドリンク時間領域リソースが時間領域上で連続したシンボルを占用し、
最後のサイドリンク時間領域リソースには、前記データ情報が占用する１つ又は複数のシンボル、前記復調参照信号が占用する１つ又は複数のシンボル、及び前記自動利得制御のための少なくとも１つのシンボル及び／又は前記ガード周期としての少なくとも１つのシンボルが含まれ、
他のサイドリンク時間領域リソースには、前記データ情報が占用する１つ又は複数のシンボル及び前記復調参照信号が占用する１つ又は複数のシンボル、或いは、前記データ情報が占用する１つ又は複数のシンボル、前記復調参照信号が占用する１つ又は複数のシンボル、及び前記自動利得制御のための少なくとも１つのシンボルが含まれる、装置。
【請求項１１】
請求項１に記載の装置であって、
複数のスロット又はサブフレームにおける候補時間領域リソースを設定する候補設定ユニットをさらに含む、装置。
【請求項１２】
請求項１１に記載の装置であって、
前記複数のスロット又はサブフレームにおける候補時間領域リソースは、事前定義のルールに従って確定され、或いは、ネットワーク装置により、メイン情報ブロック、システム情報ブロック、無線リソース制御シグナリング、及び上りリンク制御情報のうちの１つを用いて設定される、装置。
【請求項１３】
請求項１１に記載の装置であって、
前記候補設定ユニットは、初期時間領域リソース指示及び第一周期パラメータにより、開始スロット又はサブフレームにおける候補時間領域リソースに対して設定を行い、或いは、複数の時間領域リソース指示により開始スロット又はサブフレームにおける候補時間領域リソースに対して設定を行う、装置。
【請求項１４】
請求項１３に記載の装置であって、
前記候補設定ユニットはさらに、前記開始スロット又はサブフレームに対してスロット又はサブフレームを周期として重複を行い、前記複数のスロット又はサブフレームにおける候補時間領域リソースを得る、装置。
【請求項１５】
請求項１１に記載の装置であって、
前記候補設定ユニットは、初期時間領域リソース指示及び第二周期パラメータにより前記複数のスロット又はサブフレームにおける候補時間領域リソースに対して設定を行う、装置。
【請求項１６】
請求項１１に記載の装置であって、
前記候補時間領域リソースのうちから複数のスロット又はサブフレームにおける時間領域リソースを確定するリソース確定ユニットをさらに含む、装置。
【請求項１７】
請求項１６に記載の装置であって、
前記複数のスロット又はサブフレームにおける時間領域リソースは、前記送信装置及び前記受信装置により事前定義のルールに従って確定され、或いは、ネットワーク装置によりビットマップを用いて前記送信装置及び／又は前記受信装置に指示することで確定される、装置。
【請求項１８】
請求項１７に記載の装置であって、
前記ビットマップは、前記ネットワーク装置により、メイン情報ブロック、システム情報ブロック、無線リソース制御シグナリング、及び上りリンク制御情報のうちの１つにより設定される、装置。
【請求項１９】
情報受信装置であって、
送信装置から少なくとも時間領域リソースを使用して送信されるデータ情報及び復調参照信号を受信する情報受信ユニットを含み、
前記復調参照信号は少なくとも前記時間領域リソースにおける一部のシンボルの数に基づいて確定され、前記時間領域リソースに含まれるシンボルの数はスロット又はサブフレームに含まれるシンボルの数以下である、情報受信装置。
【請求項２０】
通信システムであって、
請求項１に記載の情報送信装置を含む送信装置；及び
請求項１９に記載の情報受信装置を含む受信装置を含む、通信システム。
【発明の詳細な説明】
【技術分野】
【０００１】
本発明は、通信技術分野に関し、特に、情報送受信方法及び装置に関する。
【背景技術】
【０００２】
ＬＴＥ（Ｌｏｎｇ  Ｔｅｒｍ  Ｅｖｏｌｕｔｉｏｎ）システムにおけるＶ２Ｘ（Ｖｅｈｉｃｌｅ  ｔｏ  Ｅｖｅｒｙｔｈｉｎｇ）が車両通信技術の１つであり、車両対車両、車両対ロードサイドユニット、車両対歩行者などの複数種のシナリオにおける通信をサポートすることができる。
【０００３】
Ｖ２Ｘにおける送信装置が直接接続のサイドリンク（ｓｉｄｅｌｉｎｋ）によりデータを受信装置に直接送信することができ、即ち、データは基地局などのネットワーク装置により中継される必要がない。サイドリンクは１種の新しい無線インターフェースであり、送信装置と受信装置との間の通信のために直接接続のチャネルを提供することができる。
【０００４】
ＬＴＥ  Ｖ２ＸはＬＴＥアーキテクチャに基づいており、例えば、サイドリンクはＬＴＥ上りリンクサブフレームのみを使用することができ、サイドリンクはサブフレームを単位としてデータ送信などを行うことで、ＬＴＥセルラー通信との共存及び互換性を実現し、基本的な道路安全、交通状況の予警報などのサービスのニーズを満たすことができる。
【０００５】
新サービス及び新シナリオの出現、例えば、リモート運転、自動運転、リアルタイム情報交換などの出現に伴い、将来のＶ２Ｘはより高いサービスのニーズ及び技術指標を満足する必要がある。例えば、リモート運転はリアルタイム性を保証するために、より低い通信遅延（ｌａｔｅｎｃｙ）を要し、また、安全を保障するために、より高いデータ伝送信頼性を必要とする。リアルタイムビデオインタラクションは低遅延を要すると同時に、より高いデータ伝送速率なども必要とする。
【０００６】
なお、上述の背景技術についての紹介は、本発明の技術案を明確且つ完全に説明し、また、当業者がそれを理解しやすいためのものである。これらの技術案は、本発明の背景技術に記述されているため、当業者にとって周知であると解釈してはならない。
【発明の概要】
【発明が解決しようとする課題】
【０００７】
発明者が次のようなことを発見した。即ち、幾つかのシナリオ、例えば、Ｖ２Ｘは、サブフレーム又はスロットよりも小さい長さ（非スロット（ｎｏｎ−ｓｌｏｔ）又はミニスロット（ｍｉｎｉ−ｓｌｏｔ）とも言う）でデータスケジューリングを行う必要があるが、如何にデータ情報の送受信を行うかについては具体的な技術案が未だに無い。
【０００８】
上述の問題の少なくとも１つを解決するために、本発明の実施例は情報送受信方法及び装置を提供する。
【課題を解決するための手段】
【０００９】
本発明の実施例の第一側面によれば、情報送信方法が提供され、それは、
送信装置が少なくとも時間領域リソースにおける一部のシンボルの数に基づいて、前記時間領域リソースに位置する復調参照信号を確定し、そのうち、前記時間領域リソースに含まれるシンボルの数はスロット又はサブフレームに含まれるシンボルの数以下であり；及び
前記送信装置が少なくとも前記時間領域リソースを使用して、受信装置にデータ情報及び前記復調参照信号を送信することを含む。
【００１０】
本発明の実施例の第二側面によれば、情報送信装置が提供され、それは、
少なくとも時間領域リソースにおける一部のシンボルの数に基づいて、前記時間領域リソースに位置する復調参照信号を確定する信号確定ユニットであって、そのうち、前記時間領域リソースに含まれるシンボルの数はスロット又はサブフレームに含まれるシンボルの数以下である、信号確定ユニット；
少なくとも前記時間領域リソースを使用して、受信装置にデータ情報及び前記復調参照信号を送信する情報送信ユニットを含む。
【００１１】
本発明の実施例の第三側面によれば、情報受信方法が提供され、それは、
受信装置が送信装置から少なくとも時間領域リソースを使用して送信されるデータ情報及び復調参照信号を受信することを含み、
そのうち、前記復調参照信号は少なくとも前記時間領域リソースにおける一部のシンボルの数に基づいて確定され、前記時間領域リソースに含まれるシンボルの数はスロット又はサブフレームに含まれるシンボルの数以下である。
【００１２】
本発明の実施例の第四側面によれば、情報受信装置が提供され、それは、
送信装置から少なくとも時間領域リソースを使用して送信されるデータ情報及び復調参照信号を受信する情報受信ユニットを含み、
そのうち、前記復調参照信号は少なくとも前記時間領域リソースにおける一部のシンボルの数に基づいて確定され、前記時間領域リソースに含まれるシンボルの数はスロット又はサブフレームに含まれるシンボルの数以下である。
【００１３】
本発明の実施例の第五側面によれば、通信システムが提供され、それは、
第二側面に記載の情報送信装置を含む送信装置；及び
第四側面に記載の情報受信装置を含む受信装置を含む。
【００１４】
本発明の実施例の有益な効果は次の通りであり、即ち、送信装置は少なくとも時間領域リソースにおける一部のシンボルの数に基づいて、前記時間領域リソースに位置する復調参照信号を確定し、そのうち、前記時間領域リソースに含まれるシンボルの数はスロット又はサブフレームに含まれるシンボルの数以下である。これにより、ｎｏｎ−ｓｌｏｔのデータ情報伝送をサポートすることができる。
【００１５】
なお、「含む／有する」のような用語は、本明細書に使用されるときに、特徴、要素、ステップ、又はアセンブルの存在を指すが、１つ又は複数の他の特徴、要素、ステップ、又はアセンブリの存在又は付加を排除しないということも指す。
【図面の簡単な説明】
【００１６】
本発明の１つの図面又は１つの実施形態に記載の要素及び特徴は、１つ又は複数の他の図面又は実施形態に示した要素及び特徴と組み合わせることができる。また、図面では、類似したシンボルは、幾つの図面における対応する部品を示し、複数の実施形態に用いる対応部品を示すためにも用いられる。
【図１】本発明の実施例における通信システムを示す図である。
【図２】本発明の実施例における情報送信方法を示す図である。
【図３】本発明の実施例における時間領域リソースを示す図である。
【図４】本発明の実施例においてガード周期としてのシンボルが省略される例を示す図である。
【図５】本発明の実施例においてガード周期としてのシンボルが省略される例を示す他の図である。
【図６】本発明の実施例においてガード周期としてのシンボルが省略される例を示す他の図である。
【図７】本発明の実施例においてガード周期としてのシンボルが省略される例を示す他の図である。
【図８】本発明の実施例における情報送受信方法を示す図である。
【図９】本発明の実施例における候補時間領域リソース設定の一例を示す図である。
【図１０】本発明の実施例における候補時間領域リソース設定の他の例を示す図である。
【図１１】本発明の実施例における候補時間領域リソース設定の他の例を示す図である。
【図１２】本発明の実施例における確定時間領域リソースの一例を示す図である。
【図１３】本発明の実施例における情報受信方法を示す図である。
【図１４】本発明の実施例における情報送信装置を示す図である。
【図１５】本発明の実施例における情報受信装置を示す図である。
【図１６】本発明の実施例におけるネットワーク装置を示す図である。
【図１７】本発明の実施例における端末装置を示す図である。
【発明を実施するための形態】
【００１７】
添付した図面及び以下の説明を参照することにより、本発明の前述及び他の特徴が明らかになる。なお、明細書及び図面では、本発明の特定の実施形態を開示するが、それは、本発明の原理を採用し得る一部のみの実施形態を示し、理解すべきは、本発明は、記載される実施形態に限定されず、即ち、本発明は、添付した特許請求の範囲内のすべての変更、変形及び代替によるものも含むということである。
【００１８】
本発明の実施例では、用語「通信ネットワーク」又は「無線通信ネットワーク」は、次のような任意の通信規格に準ずるネットワークを指しても良く、例えば、ＬＴＥ（ＬＴＥ、Ｌｏｎｇ  Ｔｅｒｍ  Ｅｖｏｌｕｔｉｏｎ）、ＬＴＥ−Ａ（ＬＴＥ−Ａｄｖａｎｃｅｄ）、ＷＣＤＭＡ(登録商標)（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＨＳＰＡ（Ｈｉｇｈ−Ｓｐｅｅｄ  Ｐａｃｋｅｔ  Ａｃｃｅｓｓ）などである。
【００１９】
また、通信システムにおける装置間の通信は、任意の段階の通信プロトコルに従って行われても良く、例えば、次のような通信プロトコルを含んでも良いが、それに限定されず、即ち、１Ｇ（ｇｅｎｅｒａｔｉｏｎ）、２Ｇ、２．５Ｇ、２．７５Ｇ、３Ｇ、４Ｇ、４．５Ｇ及び将来の５Ｇ、新無線（ＮＲ、Ｎｅｗ  Ｒａｄｉｏ）など、及び／又は、その他の従来の又は将来開発される通信プロトコルである。
【００２０】
本発明の実施例では、用語「ネットワーク装置」は、例えば、通信システムにおける、端末装置を通信ネットワークに接続し、且つ該端末装置にサービスを提供する装置を指す。ネットワーク装置は、次のようなものを含んでも良いが、それに限定されず、即ち、基地局（ＢＳ、Ｂａｓｅ  Ｓｔａｔｉｏｎ）、アクセスポイント（ＡＰ、Ａｃｃｅｓｓ  Ｐｏｉｎｔ）、送受信ポイント（ＴＲＰ、Ｔｒａｎｓｍｉｓｓｉｏｎ  Ｒｅｃｅｐｔｉｏｎ  Ｐｏｉｎｔ）、ブロードキャスト送信機、モバイル管理エンティティ（ＭＭＥ、Ｍｏｂｉｌｅ  Ｍａｎａｇｅｍｅｎｔ  Ｅｎｔｉｔｙ）、ネットワークゲートウェイ、サーバー、無線ネットワーク制御器（ＲＮＣ、Ｒａｄｉｏ  Ｎｅｔｗｏｒｋ  Ｃｏｎｔｒｏｌｌｅｒ）、基地局制御器（ＢＳＣ、Ｂａｓｅ  Ｓｔａｔｉｏｎ  Ｃｏｎｔｒｏｌｌｅｒ）などである。
【００２１】
そのうち、基地局は、次のようなものを含んでも良いが、それに限定されず、即ち、ノードＢ（ＮｏｄｅＢ又はＮＢ）、進化ノードＢ（ｅＮｏｄｅＢ又はｅＮＢ）及び５Ｇ基地局（ｇＮＢ）などであり、さらにＲＲＨ（Ｒｅｍｏｔｅ  Ｒａｄｉｏ  Ｈｅａｄ）、ＲＲＵ（Ｒｅｍｏｔｅ  Ｒａｄｉｏ  Ｕｎｉｔ）、リレー（ｒｅｌａｙ）又は低パワーノード（例えば、ｆｅｍｔｏ、ｐｉｃｏなど）を含んでも良い。また、用語「基地局」は、それらの一部又はすべての機能を含んでも良く、各基地局は、特定の地理的領域に対して通信カバレッジを提供することができる。用語「セル」が指すのは、基地局及び／又はそのカバーする領域であっても良い、これは、該用語のコンテキストによるものである。
【００２２】
本発明の実施例では、用語「ユーザ装置」（ＵＥ、Ｕｓｅｒ  Ｅｑｕｉｐｍｅｎｔ）又は「端末装置」（ＴＥ、Ｔｅｒｍｉｎａｌ  Ｅｑｕｉｐｍｅｎｔ）は、例えば、ネットワーク装置により通信ネットワークにアクセスし、且つネットワークからのサービスを受ける装置を指す。ユーザ装置は、固定したもの又は移動するものであっても良く、また、移動ステーション（ＭＳ、Ｍｏｂｉｌｅ  Ｓｔａｔｉｏｎ）、端末、加入者ステーション（ＳＳ、Ｓｕｂｓｃｒｉｂｅｒ  Ｓｔａｔｉｏｎ）、アクセス端末（ＡＴ、Ａｃｃｅｓｓ  Ｔｅｒｍｉｎａｌ）、ステーションなどとも称される。
【００２３】
そのうち、ユーザ装置は、次のようなものを含んでも良いが、それに限定されず、例えば、携帯電話（Ｃｅｌｌｕｌａｒ  Ｐｈｏｎｅ）、ＰＤＡ（Ｐｅｒｓｏｎａｌ  Ｄｉｇｉｔａｌ  Ａｓｓｉｓｔａｎｔ）、無線モデム、無線通信装置、携帯装置、マシンタイプ通信装置、ラップトップコンピュータ、コードレス電話機、スマートフォン、スマートウォッチ、デジタルカメラなどである。
【００２４】
また、例えば、ＩｏＴ（Ｉｎｔｅｒｎｅｔ  ｏｆ  Ｔｈｉｎｇｓ）などのシナリオでは、ユーザ装置は、さらに、監視又は測定を行う機器又は装置であっても良く、例えば、次のようなものを含んでも良いが、それに限定されず、即ち、マシンタイプ通信（ＭＴＣ、Ｍａｃｈｉｎｅ  Ｔｙｐｅ  Ｃｏｍｍｕｎｉｃａｔｉｏｎ）端末、車載通信端末、Ｄ２Ｄ（Ｄｅｖｉｃｅ  ｔｏ  Ｄｅｖｉｃｅ）端末、Ｍ２Ｍ（Ｍａｃｈｉｎｅ  ｔｏ  Ｍａｃｈｉｎｅ）端末などである。
【００２５】
また、用語「ネットワーク側」又は「ネットワーク装置側」とは、ネットワークの側を指し、又はる基地局であっても良く、上述のような１つ又は複数のネットワーク装置を含んでも良い。用語「ユーザ側」又は「端末側」又は「端末装置側」とは、ユーザ又は端末の側を指し、又はるＵＥであっても良く、上述のような１つ又は複数の端末装置を含んでも良い。
【００２６】
以下、例を挙げて本発明の実施例におけるシナリオについて説明を行うが、本発明は、これに限られない。
【００２７】
図１は、本発明の実施例における通信システムを示す図であり、端末装置及びネットワーク装置を例にとる場合を例示的に示している。図１に示すように、通信システム１００は、ネットワーク装置１０１及び端末装置１０２を含んでも良い。便宜のため、図１では、２つのみの端末装置及び１つのみのネットワーク装置を例にとって説明を行っているが、本発明の実施例はこれに限定されない。
【００２８】
本発明の実施例では、ネットワーク装置１０１と端末装置１０２との間は、従来のトラフィック又は将来実施可能なトラフィックが行われても良い。例えば、これらのトラフィックは、ｅＭＢＢ（ｅｎｈａｎｃｅｄ  Ｍｏｂｉｌｅ  Ｂｒｏａｄｂａｎｄ）、ｍＭＴＣ（ｍａｓｓｉｖｅ  Ｍａｃｈｉｎｅ  Ｔｙｐｅ  Ｃｏｍｍｕｎｉｃａｔｉｏｎ）、ＵＲＬＬＣ（Ｕｌｔｒａ−Ｒｅｌｉａｂｌｅ  ａｎｄ  Ｌｏｗ−Ｌａｔｅｎｃｙ  Ｃｏｍｍｕｎｉｃａｔｉｏｎ）などを含んでも良いが、これに限定されない。
【００２９】
なお、図１は２つの端末装置１０２がすべてネットワーク装置１０１のカバレッジにあることを示しているが、本発明はこれに限定されない。２つの端末装置１０２はすべてネットワーク装置１０１のカバレッジに位置しなくても良く、或いは、１つの端末装置１０２はネットワーク装置１０１のカバレッジ内にあり、もう１つの端末装置１０２はネットワーク装置１０１のカバレッジ外にあっても良い。
【００３０】
本発明の実施例では、２つの端末装置１０２の間はサイドリンク伝送を行うことができる。例えば、２つの端末装置１０２はすべてネットワーク装置１０１のカバレッジ内でサイドリンク伝送を行ってＶ２Ｘ通信を実現しても良く、又は、すべてネットワーク装置１０１のカバレッジ外でサイドリンク伝送を行ってＶ２Ｘ通信を実現しても良く、さらに、１つの端末装置１０２はネットワーク装置１０１のカバレッジ内で、もう１つの端末装置１０２はネットワーク装置１０１のカバレッジ外でサイドリンク伝送を行ってＶ２Ｘ通信を実現しても良い。
【００３１】
３ＧＰＰ（３ｒｄ  Ｇｅｎｅｒａｔｉｏｎ  Ｐａｒｔｎｅｒｓｈｉｐ  Ｐｒｏｊｅｃｔ）のドキュメントによれば、幾つかの応用シナリオについて、将来、Ｖ２Ｘが許容し得る最大のエンドツーエンドの遅延は若干のミリ秒（例えば、３ミリ秒）に低くなる必要がある。これに対して、ＬＴＥ  Ｖ２Ｘ  サイドリンクデータ伝送の最小粒度が１ミリ秒（１つのサブフレーム）に達しており、その遅延は通常、１０ミリ秒及び１００ミリ秒を桁（ｏｒｄｅｒ  ｏｆ  ｍａｇｎｉｔｕｄ）とすることが必要であるので、サブフレームを伝送粒度とするＬＴＥ  Ｖ２Ｘは上述の低遅延のニーズを満たすことができない。
【００３２】
また、５Ｇの新無線（ＮＲ、Ｎｅｗ  Ｒａｄｉｏ）システムに、より柔軟なスロットフォーマット（ｓｌｏｔ  ｆｏｒｍａｔ）が導入されており、また、１つのサブフレーム又はスロットの内部にも上り下りリンク伝送方向の変換が生じることができ、即ち、１つのサブフレーム又はスロット内ではすべて上りリンクリソースでない。例えば、Ｖ２Ｘがセルラーシステムと同じ周波数で動作するときに、上りリンクリソースのみがサイドリンクにより使用されるため、サブフレーム又はスロットのみを伝送粒度とすれば、ＬＴＥ  Ｖ２Ｘは一部の上りリンクリソースのみを有するサブフレーム又はスロットを使用することができない。これは、サイドリンク伝送の待ち時間を大幅に増やし、低遅延の要求を満足することができなくなる恐れがある。
【００３３】
よって、サブフレーム又はスロットよりも小さいリソース粒度（非スロット（ｎｏｎ−ｓｌｏｔ）又はミニスロット（ｍｉｎｉ−ｓｌｏｔ）とも言う）で、サイドリンクデータ及び／又は制御情報の送受信を行うことで、より低い遅延のニーズを満たす必要がある。本発明の実施例はサイドリンク及びＶ２Ｘを例にとって説明を行うが、本発明はこれに限られない。
【実施例１】
【００３４】
本発明の実施例では情報送信方法が提供され、送信装置側から説明を行う。そのうち、該送信装置は端末装置であって良いが、本発明はこれに限られず、例えば、ネットワーク装置であって良い。
【００３５】
図２は本発明の実施例における情報送信方法を示す図であり、図２に示すように、前記方法は以下のステップを含む。
【００３６】
ステップ２０１：送信装置が少なくとも時間領域リソースにおける一部のシンボルの数に基づいて、前記時間領域リソースに位置する復調参照信号を確定し；
ステップ２０２：前記送信装置が少なくとも前記時間領域リソースを使用して、受信装置にデータ情報及び前記復調参照信号を送信する。
【００３７】
本発明の実施例では、前記時間領域リソースに含まれるシンボルの数はスロット又はサブフレームに含まれるシンボルの数以下であり、前記スロット又はサブフレームに含まれるシンボルの数は例えば１４であっても良いが、本発明はこれに限られない。
【００３８】
本発明の実施例では、例えば、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）、ＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）又はＤＦＴ−ｓ−ＯＦＤＭ（Ｄｉｓｃｒｅｔｅ  Ｆｏｕｒｉｅｒ  Ｔｒａｎｓｆｏｒｍ  Ｓｐｒｅａｄ  Ｏｒｔｈｏｇｏｎａｌ  Ｆｒｅｑｕｅｎｃｙ  Ｄｉｖｉｓｉｏｎ  Ｍｕｌｔｉｐｌｅｘ）などのビームを使うことができるので、上述のシンボルはＯＦＤＭ又はＳＣ−ＦＤＭＡ又はＤＦＴ−ｓ−ＯＦＤＭなどのシンボルであっても良く、以下、シンボルと略称する。但し、本発明はこれに限られない。
【００３９】
本実施例では、前記時間領域リソースはサイドリンク情報の送信又は受信のために用いられ得るが、本発明はこれに限られない。以下、サイドリンク及びＶ２Ｘを例にとって説明を行う。
【００４０】
Ｎｏｎ−ｓｌｏｔリソースはデータ情報の送受信のために用いられても良く、例えば、ＰＳＳＣＨ（Ｐｈｙｓｉｃａｌ  Ｓｉｄｅｌｉｎｋ  Ｓｈａｒｅｄ  Ｃｈａｎｎｅｌ）であり、また、制御情報の送受信のために用いられても良く、例えば、ＰＳＣＣＨ（Ｐｈｙｓｉｃａｌ  Ｓｉｄｅｌｉｎｋ  Ｃｏｎｔｒｏｌ  Ｃｈａｎｎｅｌ）である。本発明の実施例は主に、ｎｏｎ−ｓｌｏｔの時間領域リソース（例えば、シンボル）を説明するが、ｎｏｎ−ｓｌｏｔの周波数領域リソースについて限定せず、周波数領域リソースはネットワーク装置により設定されても良く、又は、事前設定（ｐｒｅ−ｃｏｎｆｉｇｕｒａｔｉｏｎ）されても良い。また、本発明の実施例は、異なるサブキャリア間隔に応用されても良く、例えばサ、ブキャリア間隔は１５ＫＨｚ、３０ＫＨｚ、６０ＫＨｚ、１２０ＫＨｚなどであっても良くが、本発明はこれに限られない。
【００４１】
本実施例では、前記時間領域リソースは、前記データ情報が占用する１つ又は複数のシンボル、及び復調参照信号（ＤＭ−ＲＳ、Ｄｅ−Ｍｏｄｕｌａｔｉｏｎ  Ｒｅｆｅｒｅｎｃｅ  Ｓｉｇｎａｌ）が占用する１つ又は複数のシンボルを含む。オプションとして、前記時間領域リソースはさらに、自動利得制御（ＡＧＣ、Ａｕｔｏｍａｔｉｃ  Ｇａｉｎ  Ｃｏｎｔｒｏｌ）ための少なくとも１つのシンボル及び／又はガード周期（ｇｕａｒｄ  ｐｅｒｉｏｄ）としての少なくとも１つのシンボルを含んでも良い。
【００４２】
例えば、一回のＶ２Ｘ  サイドリンク伝送に使用する時間領域リソースがＮ個のシンボルを含むとすると、最後のＥ個シンボルがガード周期（ｇｕａｒｄ  ｐｅｒｉｏｄ）とされ、サイドリンクとサイドリンクとの間の送受信の切り替え、又は、サイドリンクとセルラーリンクとの間の送受信の切り替えのために用いられる必要があり、最初のＦ個のシンボルが自動利得制御のために用いられる必要がある。
【００４３】
ＬＴＥ  Ｖ２Ｘについて、ＬＴＥ  Ｖ２Ｘはサブフレームをサイドリンクリソース割り当ての粒度とし、１つのサブフレームは１４個のシンボルを含み、即ち、Ｎ＝１４であり、１番目のシンボル及び最後の１つのシンボルはそれぞれＡＧＣ及びガード周期のために用いられ、即ち、Ｅ＝Ｆ＝１であり、ＰＳＣＣＨ及びＰＳＳＣＨ解調のための復調参照信号（ＤＭ−ＲＳ）の所在するシンボルの位置は固定したものであり、シンボル＃２、＃５、＃８、＃１１（１４個のシンボルは＃０乃至＃１３の順で番号付けられる）のところに位置する。
【００４４】
しかし、ｎｏｎ−ｓｌｏｔをサイドリンクリソース割り当ての粒度とするときに、ｎｏｎ−ｓｌｏｔに含まれるシンボルの数が可変であるので、ＤＭ−ＲＳの所在するシンボルの位置もｎｏｎ−ｓｌｏｔの長さに伴って変化し、ＬＴＥ  Ｖ２ＸのＤＭ−ＲＳの所在するシンボルの位置をそのまま使用することができない。
【００４５】
本実施例では、前記時間領域リソースにおける一部のシンボルの数は、前記時間領域リソースの中の自動利得制御のための少なくとも１つのシンボル及び／又はガード周期としての少なくとも１つのシンボルを除いた後の残りのシンボルの数であって良い。例えば、前記送信装置は少なくとも前記時間領域リソースの中の自動利得制御のための少なくとも１つのシンボル及び／又はガード周期としての少なくとも１つのシンボルを除いた後の残りのシンボルの数に基づいて、前記時間領域リソースに位置する前記復調参照信号が占用するシンボルの数及び所在するシンボルの位置を確定することができる。
【００４６】
なお、以下、ＤＭ−ＲＳのシンボルの数及び所在するシンボルの位置を例として説明を行うが、本発明はこれに限られない、例えば、送信装置はさらに、少なくとも時間領域リソースにおける一部のシンボルの数に基づいて、前記時間領域リソースに位置する復調参照信号のシーケンス（ｓｅｑｕｅｎｃｅ）、巡回シフト（ｃｙｃｌｉｃ  ｓｈｉｆｔ）、周波数領域位置、直交カバーコード（ＯＣＣ、ｏｒｔｈｏｇｏｎａｌ  ｃｏｖｅｒ  ｃｏｄｅ）などを確定することができる。
【００４７】
図３は本発明の実施例における時間領域リソースを示す図である。図３に示すように、一回のサイドリンク伝送のためのｎｏｎ−ｓｌｏｔがＮ個のシンボルを含むとする場合、ＤＭ−ＲＳは最後のＥ（Ｅ≧０）個のシンボル（図３ではＥ＝１とする）及び最初のＦ（Ｆ≧０）個のシンボル（図３ではＦ＝１とする）以外のシンボルに位置し、ＤＭ−ＲＳの位置は数がＤ＝Ｎ−Ｅ−Ｆである部分のシンボルにより決められる。Ｆ＝０はガード周期がないことを表す。
【００４８】
本実施例では、前記復調参照信号が占用するシンボルの数及び所在するシンボルの位置はパラメータＤ、Ｃ及び△に基づいて確定され得る。そのうち、Ｄは前記時間領域リソースにおける一部のシンボルの数であり、Ｃは前記復調参照信号の数のパラメータであり、△はシンボルを単位として行われる偏移（オフセット）を示す。
【００４９】
例えば、ルックアップテーブルを用いてＤＭ−ＲＳのシンボルの所在する位置を確定しても良い。表１は本発明の実施例における、ＤＭ−ＲＳを確定するためのルックアップテーブルの一例である。
【表１】
2021531687.tif 000003
【００５０】
例えば、ｌ０がＤＭ−ＲＳの開始位置の基準量を示し、ｌ０の値がＤ個のシンボルにおける番号を示し、表１には例えばｌ０＝０であっても良い。サイドリンクおけるにＡＧＣ及びガード周期の影響を考慮して、テーブルルックアップ時にＤＭ−ＲＳの位置はｎｏｎ−ｓｌｏｔ全体に含まれるシンボルではなく、上述の取得したＤ個のシンボルにより決められても良い。Ｄに従ってルックアップテーブルにおける一部のシンボルの数の値を取り、ＤＭ−ＲＳの位置はＤに対応する行及び表の中の或る列により決定される。
【００５１】
例えば、Ｄ＝４、Ｃ＝０であり、表１に従ってｌ０＋△４，０に対応する場合、ＤＭ−ＲＳが１つのシンボルを占用し、且つ該Ｄ個のシンボルにおける位置ｌ０＋△４，０のところに位置することを表し、ｌ０＋△ｉ，ｊの値はＤ個のシンボルにおける番号を表す。また、例えば、Ｄ＝５、Ｃ＝１であり、表１に従ってｌ０＋△５，１及び４＋△５，１に対応する場合、ＤＭ−ＲＳが２つのシンボルを占用し、且つ該Ｄ個のシンボルにおける位置ｌ０＋△５，１和４＋△５，１のところに位置することを表し、ｌ０＋△ｉ，ｊの値はＤ個のシンボルにおける番号を表す。
【００５２】
表１における要素の値（例えば、ｌ０＋△ｉ，ｊ、ｘ＋△ｉ，ｊなどであり、そのうち、ｘ＝３、４、５、６、８、９、１０である）は、Ｄ個のシンボルにおける番号（ｎｏｎ−ｓｌｏｔにおける番号ではない）、即ち、０乃至Ｄ−１を表す。例えば、Ｎ＝１４、Ｆ＝１、Ｅ＝１である場合、Ｄ＝１２であり、Ｄの中の番号＃１、＃４、＃７、＃１０がＮ（ｎｏｎ−ｓｌｏｔ）の中の番号＃２、＃５、＃８、＃１１に対応し、これに基づいて類推することができる。なお、具体的にどの列を使用するかがＤＭ−ＲＳの数のパラメータＣにより決定される。
【００５３】
パラメータＣは各種の一部のシンボルの数について事前定義することができ、パラメータＣはネットワーク装置により設定されても良く、例えば、ネットワーク装置はブロードキャスト情報（例えば、メイン情報ブロック（ＭＩＢ、Ｍａｉｎ  Ｉｎｆｏｒｍａｔｉｏｎ  Ｂｌｏｃｋ）又はシステム情報ブロック（ＳＩＢ、Ｓｙｓｔｅｍ  Ｉｎｆｏｒｍａｔｉｏｎ  Ｂｌｏｃｋ））、無線リソース制御（ＲＲＣ、Ｒａｄｉｏ  Ｒｅｓｏｕｒｃｅ  Ｃｏｎｔｒｏｌ）シグナリング、及び上りリンク制御情報（ＤＣＩ、Ｄｏｗｎｌｉｎｋ  Ｃｏｎｔｒｏｌ  Ｉｎｆｏｒｍａｔｉｏｎ）のうちの少なくとも1つにより設定を行っても良い。
【００５４】
△ｉ，ｊはシンボルを単位として行われる偏移を示し、各種の（Ｄ，Ｃ）の値の組み合わせについて、△ｉ，ｊの値は独立して設定及び確定されても良い。△は０以上であり、且つ前記スロット又はサブフレームに含まれるシンボルの数以下であり、例えば、０≦△ｉ，ｊ≦１４である。或る種のＮ、Ｅ、Ｆの値の組み合わせについて、表１では、一部のみの行が用いられ得る可能性がある。
【００５５】
表２は本発明の実施例における、ＤＭ−ＲＳを確定するためのルックアップテーブルのもう１つの例である。
【表２】
2021531687.tif 000004
【００５６】
以上、如何にＤＭ−ＲＳを確定するかについて例示的に説明したが、本発明はこれに限られず、例えば、さらに上述の表１及び表２について適切に調整したり、実際のシナリオに基づいてその具体的な表し方式又は数値を変更したりしても良い。以下、時間領域リソースの中のガード周期としてのシンボルについて説明する。
【００５７】
ＬＴＥ  ＴＤＤ（Ｔｉｍｅ  Ｄｉｖｉｓｉｏｎ  Ｄｕｐｌｅｘ）システムでは、ＬＴＥ  Ｖ２Ｘサイドリンクが使用し得るサブフレームはＬＴＥ  ＴＤＤの上りリンクサブフレームのみである。５Ｇ  ＮＲシステムでは、より柔軟なＴＤＤ設定及びスロットフォーマットが導入されており、スロット（又はサブフレーム）とスロット（又はサブフレーム）との間に上り下りリンクの変換（切り替え）が発生し得るだけでなく、１つのスロット（又はサブフレーム）の内部に上り下りリンクの変換が発生することもできる。
【００５８】
依然として、Ｖ２Ｘサイドリンクが上りリンクスロット（又はサブフレーム）全体のみを使用することを限定すると、Ｖ２Ｘ装置は完全な上りリンクスロット（又はサブフレーム）の到来を待つ必要がある。そのため、サイドリンク伝送の待ち時間を増やし、低遅延のニーズを満足することに不利である。例えば、Ｖ２Ｘ及びＮＲが同じ周波数を使用する場合、ｎｏｎ−ｓｌｏｔを導入することで、Ｖ２Ｘサイドリンクに、一部の上りリンクリソースのみが存在するスロット及び完全な上りリンクスロットを利用させることできる。これにより、より多くのサイドリンク伝送機会があり、待ち時間の減少に有利であり、伝送遅延を低減することができる。
【００５９】
ＬＴＥ  Ｖ２Ｘにおける１つのサブフレームが１４個のシンボルを含み、ガード周期が１つのシンボルを占めるから、ガード周期はサブフレーム全体の１／１４を占用する。ｎｏｎ−ｓｌｏｔが比較的少ないシンボルを含むことができ、ガード周期のｎｏｎ−ｓｌｏｔにおけるオーバヘッド占用比率がＬＴＥ  Ｖ２Ｘよりも高いので、ガード周期のオーバヘッドを減少させることで、ｎｏｎ−ｓｌｏｔサイドリンクの伝送効率の向上に、より顕著な効果を持たせることができる。
【００６０】
なお、以下に記載の上りリンクシンボル（Ｕ）、上りリンクシンボル（Ｄ）及び柔軟設定シンボル（Ｆ）がすべてセルラーリソースシンボルを指し、サイドリンクは上りリンクシンボル（Ｕ）のみで伝送される。
【００６１】
１つの実施方式において、サイドリンク時間領域リソースは連続した複数の上りリンクシンボルを含み、また、前記サイドリンク時間領域リソースの後の１番目のシンボルが上りリンクシンボル又は柔軟設定シンボルである場合、前記時間領域リソースにはガード周期としてのシンボルが含まれない。
【００６２】
例えば、ＮＲでは複数種のスロットフォーマット（ｓｌｏｔ  ｆｏｒｍａｔ）が定義されており、幾つかのスロットフォーマットについて、サイドリンク伝送のためのｎｏｎ−ｓｌｏｔはガード周期を有しなくても良い。即ち、該ｎｏｎ−ｓｌｏｔにはデータシンボル及びＤＭ−ＲＳシンボルのみが含まれても良く、又は、データシンボル、ＤＭ−ＲＳシンボル及びＡＧＣシンボルのみが含まれても良く。
【００６３】
図４は本発明の実施例においてガード周期としてのシンボルが省略される一例を示す図である。図４に示すように、サイドリンクのためのｎｏｎ−ｓｌｏｔの直後のシンボル（即ち、１番目のシンボル）が上りリンクシンボル（図４ではＤで表される）であるときに、ｎｏｎ−ｓｌｏｔはガード周期を使用しなくても良い。
【００６４】
図５は本発明の実施例においてガード周期としてのシンボルが省略されるもう１つの例を示す図である。図５に示すように、サイドリンクのためのｎｏｎ−ｓｌｏｔの直後のシンボル（即ち、１番目のシンボル）が柔軟設定シンボル（ｆｌｅｘｉｂｌｅシンボルとも称され、図５ではＦで表される）であるときに、ｎｏｎ−ｓｌｏｔはガード周期を使用しなくても良い。
【００６５】
例えば、図４又は図５に示す場合、すべてのｎｏｎ−ｓｌｏｔ内のシンボルはすべてサイドリンク伝送に用いられ得る。その理由は、Ｖ２Ｘ装置が受信から送信への変換過程においてのみガード周期を要し、送信から受信への変換過程においてガード周期を明示的にリザーブする必要がないことにある。ｎｏｎ−ｓｌｏｔにおけるガード周期のためのシンボルを減少させることで、サイドリンクリソースの利用率を著しく向上させることができる。
【００６６】
１つの実施方式において、サイドリンク時間領域リソースは連続した複数の上りリンクシンボルを含み、また、前記サイドリンク時間領域リソースの後の１番目のシンボルが上りリンクシンボルであり、且つ前記上りリンクシンボルがサイドリンク時間領域リソースに属しない（即ち、該上りリンクシンボルＵがサイドリンク伝送のために用いられない）場合、前記サイドリンク時間領域リソースにはガード周期としてのシンボルが含まれない。
【００６７】
上述のガード周期を使用しないこと又はガード周期としてのシンボルを含まないことは次のことにも相当し、即ち、前記サイドリンク時間領域リソースには、前記データ情報が占用する１つ又は複数のシンボル及び前記復調参照信号が占用する１つ又は複数のシンボル；又は、前記データ情報が占用する１つ又は複数のシンボル、前記復調参照信号が占用する１つ又は複数のシンボル、及び前記自動利得制御のための少なくとも１つのシンボルが含まれる。
【００６８】
図６は本発明の実施例においてガード周期としてのシンボルが省略されるもう１つの例を示す図である。図６に示すように、サイドリンクのためのｎｏｎ−ｓｌｏｔの直後のシンボル（即ち、１番目のシンボル）が上りリンクシンボル（図６ではＵで表される）であり、且つ該上りリンクシンボルがサイドリンク伝送のために用いられないときに、ｎｏｎ−ｓｌｏｔはガード周期を使用しなくても良い。
【００６９】
例えば、ネットワーク装置のカバレッジ外の送信装置について、サイドリンクのためのｎｏｎ−ｓｌｏｔの直後のシンボルがセルラー通信のための上りリンクシンボルであるが、該送信装置は、ネットワーク装置に情報を送信する必要がないため、送受信の変換が生じることもないので、ガード周期を使用しなくても良い。
【００７０】
１つの実施方式において、複数のサイドリンク時間領域リソースは時間領域上で連続したシンボルを占用し、且つ、最後のサイドリンク時間領域リソースにはガード周期としてのシンボルが含まれ、他のサイドリンク時間領域リソースにはガード周期としてのシンボルが含まれない。
【００７１】
例えば、より高い信頼性のニーズを満たすために、サイドリンクのｎｏｎ−ｓｌｏｔの重複を送信しても良い。最後の１つのｎｏｎ−ｓｌｏｔにはデータシンボル、ＤＭ−ＲＳシンボル及びガード周期シンボルが含まれ、又は、データシンボル、ＤＭ−ＲＳシンボル、ＡＧＣシンボル及びガード周期シンボルが含まれ、他のｎｏｎ−ｓｌｏｔにはデータシンボル及びＤＭ−ＲＳシンボルのみが含まれても良く、又は、データシンボル、ＤＭ−ＲＳシンボル及びＡＧＣシンボルのみが含まれても良い。
【００７２】
図７は本発明の実施例においてガード周期としてのシンボルが省略されるもう１つの例を示す図である。図７に示すように、例えば、重複したＫ個のｎｏｎ−ｓｌｏｔが連続した時間領域リソースを用いて送信を行うときに、最後の１つのみのｎｏｎ−ｓｌｏｔ（即ち、ｎｏｎ−ｓｌｏｔ  ＃Ｋ−１）はガード周期をリザーブする必要があり、他のｎｏｎ−ｓｌｏｔ（ｎｏｎ−ｓｌｏｔ  ＃０乃至ｎｏｎ−ｓｌｏｔ  ＃Ｋ−２）はガード周期をリザーブする必要がなく、即ち、これらのｎｏｎ−ｓｌｏｔのうちのすべてのシンボルはすべてサイドリンク伝送のために用いられ得る。
【００７３】
以上、如何にガード周期を省略するかについて例示的に説明したが、本発明はこれに限られない。以下、如何にリソースを設定するか及び如何にデータ情報を送信するかについてさらに説明する。
【００７４】
図８は本発明の実施例における情報送受信方法を示す図であり、送信装置側及び受信装置側から説明を行う。図８に示すように、前記方法は以下のステップを含んでも良い。
【００７５】
ステップ８０１：複数のスロット又はサブフレームにおける候補時間領域リソースを設定する。
【００７６】
本実施例では、前記複数のスロット又はサブフレームにおける候補時間領域リソースは、事前定義のルールに従って確定されても良く、又は、ネットワーク装置により、次のようなもののうちの１つの情報又はシグナリングを用いて設定することもでき、即ち、メイン情報ブロック、システム情報ブロック、無線リソース制御シグナリング、及び上りリンク制御情報である。
【００７７】
例えば、サイドリンクにおいてｎｏｎ−ｓｌｏｔをサポートするために、サイドリンクのために可用のｎｏｎ−ｓｌｏｔリソース、即ち、ｎｏｎ−ｓｌｏｔリソースプール（ｎｏｎ−ｓｌｏｔ  ｒｅｓｏｕｒｃｅ  ｐｏｏｌ）を設定する必要があり、該設定情報は、ネットワーク装置がブロードキャスト情報（ＭＩＢ／ＳＩＢ）、ＲＲＣシグナリング、ＤＣＩシグナリングのうちの少なくとも１つにより送信しても良い。即ち、予めＭ個の候補ｎｏｎ−ｓｌｏｔを設定することができる。
【００７８】
１つの実施方式において、初期時間領域リソース指示及び第一周期パラメータにより、開始スロット又はサブフレームの中の候補時間領域リソースに対して設定を行っても良い。その後、前記開始スロット又はサブフレームに対してスロット又はサブフレームを周期として重複を行うことで、前記複数のスロット又はサブフレームの中の候補時間領域リソースを得ることができる。
【００７９】
図９は本発明の実施例における候補時間領域リソース設定の一例を示す図である。図９に示すように、設定情報はＳＬＩＶ（Ｓｔａｒｔ  ａｎｄ  Ｌｅｎｇｔｈ  Ｉｎｄｉｃａｔｏｒ  Ｖａｌｕｅ、初期時間領域リソース指示）及びＰｉｎ（第一周期パラメータ）を含んでも良い。
【００８０】
例えば、ＳＬＩＶ及びＰｉｎは、１つの開始スロット内の候補ｎｏｎ−ｓｌｏｔを確定し、その後、スロットを単位として重複を行い、複数のスロット内の候補ｎｏｎ−ｓｌｏｔを取得するために用いられる。ＳＬＩＶは、開始スロット内の１番目の候補ｎｏｎ−ｓｌｏｔに対してＰｉｎを周期として該スロット内で重複を行うことを指示し、該スロット内の他の候補ｎｏｎ−ｓｌｏｔを得るために用いられる。ＳＬＩＶの１つの実施方式につていて、ＴＳ  ３８．２１３における６．１．２．１節の定義を参照することができる。
【００８１】
もう１つの実施方式において、複数の時間領域リソースにより、開始スロット又はサブフレームにおける候補時間領域リソースに対して設定を行うことを指示しても良い。その後、前記開始スロット又はサブフレームに対してスロット又はサブフレームを周期として重複を行うことで、前記複数のスロット又はサブフレームにおける候補時間領域リソースを取得することができる。
【００８２】
図１０は本発明の実施例における候補時間領域リソース設定の一例を示す図である。図１０に示すように、設定情報は複数のＳＬＩＶ（時間領域リソース指示）を含む。
【００８３】
例えば、少なくとも１つのＳＬＩＶが、１つの開始スロット内の少なくとも１つの候補ｎｏｎ−ｓｌｏｔを確定し、その後、スロットを単位として重複を行い、複数のスロット内の候補ｎｏｎ−ｓｌｏｔを得るために用いられる。
【００８４】
もう１つの実施方式において、初期時間領域リソース指示及び第二周期パラメータにより、前記複数のスロット又はサブフレームの中の候補時間領域リソースに対して設定を行っても良い。
【００８５】
図１１は本発明の実施例における候補時間領域リソース設定の一例を示す図である。図１１に示すように、設定情報はＳＬＩＶ（初期時間領域リソース指示）及びＰｃｒｏｓｓ（第二周期パラメータ）を含む。
【００８６】
例えば、ＳＬＩＶ及びＰｃｒｏｓｓは、複数のスロット内の候補ｎｏｎ−ｓｌｏｔを確定するために用いられる。ＳＬＩＶは、開始スロット内の１番目の候補ｎｏｎ−ｓｌｏｔがＰｃｒｏｓｓを周期として重複することを指示するために用いられ、該重複過程はクロススロットで行われても良く、これにより、複数のスロット内の候補ｎｏｎ−ｓｌｏｔを得ることができる。
【００８７】
なお、上述の開始スロットはＦｒａｍｅ  ＃０のｓｌｏｔ  ＃０であっても良い。上述の開始スロットは設定される或るスロットであっても良い。開始スロットが設定される或るスロットであるときに、上述の設定情報はさらに開始スロット位置に対する指示を含む。また、候補ｎｏｎ−ｓｌｏｔはさらに事前定義により確定されても良い。例えば、各スロットを予めＳ個の候補ｎｏｎ−ｓｌｏｔに分割し、上述のＭ個の候補ｎｏｎ−ｓｌｏｔは複数のスロット内の候補ｎｏｎ−ｓｌｏｔの集合である。
【００８８】
図８に示すように、前記方法は以下のステップを含んでも良い。
【００８９】
ステップ８０２：候補時間領域リソースから複数のスロット又はサブフレームにおける時間領域リソースを確定する。
【００９０】
本実施例では、前記複数のスロット又はサブフレームにおける時間領域リソースは前記送信装置及び前記受信装置が事前定義のルールに従って確定することができ、又は、ネットワーク装置がビットマップ（ｂｉｔｍａｐ）を用いて前記送信装置及び／又は前記受信装置に指示することで確定することもできる。
【００９１】
例えば、前記ビットマップは前記ネットワーク装置が次のようなもののうちの1つの情報又はシグナリングにより設定することができ、例えば、ＭＩＢ、ＳＩＢ、ＲＲＣシグナリング、ＤＣＩである。但し、本発明はこれに限られない。
【００９２】
図１２は本発明の実施例において時間領域リソースを確定する一例を示す図である。図１２に示すように、例えば、Ｍ個の候補ｎｏｎ−ｓｌｏｔを設定した後に、長さがＢであるビットマップを用いて、Ｍ個の候補ｎｏｎ−ｓｌｏｔのうちから、可用のｎｏｎ−ｓｌｏｔを確定することができる。該ビットマップには、各ビットが１つの候補ｎｏｎ−ｓｌｏｔに対応し、例えば、ビットが１であることは、該ｎｏｎ−ｓｌｏｔがサイドリンク伝送のために用いられ得ることを示し、ビットが０であることは、サイドリンク伝送に用いられないことを示す。また、例えば、Ｂ＝Ｍのときに、各ビットは１つのｎｏｎ−ｓｌｏｔと一対一対応し、Ｂ＜Ｍのときに、ｎｏｎ−ｓｌｏｔ  ＃ｍはビットマップにおけるビット＃ｂに対応し、そのうち、ｂ＝ｍｏｄ（Ｍ，Ｂ）であり、０≦ｍ≦Ｍ−１である。
【００９３】
図８に示すように、前記方法はさらに以下のステップを含む。
【００９４】
ステップ８０３：送信装置が少なくとも時間領域リソースにおける一部のシンボルの数に基づいて、前記時間領域リソースに位置する復調参照信号を確定し；
ステップ８０４：前記送信装置が少なくとも前記時間領域リソースを使用して、受信装置にデータ情報及び前記復調参照信号を送信する。
【００９５】
なお、上述の図８は本発明の実施例を例示的に説明するためのものに過ぎず、本発明はこれに限られない。例えば、各ステップ間の実行順序を適切に調整したり、幾つかのステップを増減したりすることもできる。言い換えると、当業者は、図８の記載をもとに、上述の内容に対して適切に変更しても良い。
【００９６】
また、上述の各実施例又は実施方式は本発明の実施例を例示的に説明するものに過ぎず、本発明はこれに限られない。例えば、上述の各実施例又は実施方式をもとに適切な変更を行っても良い。さらに、上述の各実施例又は実施方式を単独で使用しても良く、上述の各実施例又は実施方式のうちの１つ又は複数を組み合わせて使用しても良い。
【００９７】
上述の実施例から分かるように、送信装置は少なくとも時間領域リソースにおける一部のシンボルの数に基づいて、前記時間領域リソースに位置する復調参照信号を確定し、そのうち、前記時間領域リソースに含まれるシンボルの数はスロット又はサブフレームに含まれるシンボルの数以下であり。これにより、ｎｏｎ−ｓｌｏｔのデータ情報伝送をサポートすることができる。
【実施例２】
【００９８】
本発明の実施例では情報受信方法が提供され、受信装置側から説明を行う。なお、実施例１と同じ内容は省略される。そのうち、該受信装置は端末装置であっても良いが、本発明はこれに限られず、例えば、ネットワーク装置であっても良い。
【００９９】
図１３は本発明の実施例における情報受信方法を示す図であり、受信装置側の場合を示している。図１３に示すように、該方法は以下のステップを含む。
【０１００】
ステップ１３０１：受信装置が送信装置から少なくとも時間領域リソースを使用して送信されるデータ情報及び復調参照信号を受信し、そのうち、前記復調参照信号は少なくとも前記時間領域リソースにおける一部のシンボルの数に基づいて確定され、前記時間領域リソースに含まれるシンボルの数はスロット又はサブフレームに含まれるシンボルの数以下である。
【０１０１】
本実施例では、前記時間領域リソースにおける一部のシンボルの数は、前記時間領域リソースにおける自動利得制御のための少なくとも１つのシンボル及び／又はガード周期としての少なくとも１つのシンボルを除いた後の残りのシンボルの数であっても良い。
【０１０２】
なお、上述の図１３は本発明の実施例を例示的に説明するものに過ぎず、本発明はこれに限られない。例えば、各ステップ間の実行順序を適切に調整したり、幾つかのステップを増減したりしても良い。言い換えれば、当業者は、上述の図１３の記載をもとに、上述の内容に対して適切に変更しても良い。
【０１０３】
また、上述の各実施方式は本発明の実施例を例示的に説明するものに過ぎず、本発明はこれに限られない。上述の各実施方式をもとに適切な変更を行っても良い。例えば、上述の各実施方式を単独で使用しても良く、上述の各実施方式のうちの１つ又は複数を組み合わせて使用しても良い。
【０１０４】
上述の実施例から分かるように、送信装置は少なくとも時間領域リソースにおける一部のシンボルの数に基づいて、前記時間領域リソースに位置する復調参照信号を確定し、そのうち、前記時間領域リソースに含まれるシンボルの数はスロット又はサブフレームに含まれるシンボルの数以下である。これにより、ｎｏｎ−ｓｌｏｔのデータ情報伝送をサポートすることができる。
【実施例３】
【０１０５】
本発明の実施例では情報送信装置が提供される。該装置は例えば端末装置であっても良く、端末装置に設けられる１つ又は幾つかの部品又はモジュールであっても良い。但し、本発明はこれに限られず、例えば、ネットワーク装置であっても良く、ネットワーク装置に設置される１つ又は幾つかの部品又はモジュールであっても良い。本実施例３では実施例１と同じ内容の説明を省略する。
【０１０６】
図１４は本発明の実施例における情報送信装置を示す図であり、図１４に示すように、情報送信装置１４００は以下のものを含む。
【０１０７】
信号確定ユニット１４０１：少なくとも時間領域リソースにおける一部のシンボルの数に基づいて、前記時間領域リソースに位置する復調参照信号を確定し、そのうち、前記時間領域リソースに含まれるシンボルの数はスロット又はサブフレームに含まれるシンボルの数以下であり；
情報送信ユニット１４０２：少なくとも前記時間領域リソースを使用して、受信装置にデータ情報及び前記復調参照信号を送信する。
【０１０８】
図１４に示すように、情報送信装置１４００はさらに以下のものを含んでも良い。
【０１０９】
候補設定ユニット１４０３：複数のスロット又はサブフレームにおける候補時間領域リソースを設定する。
【０１１０】
図１４に示すように、情報送信装置１４００はさらに以下のものを含んでも良い。
【０１１１】
リソース確定ユニット１４０４：前記候補時間領域リソースのうちから複数のスロット又はサブフレームにおける時間領域リソースを確定する。
【０１１２】
なお、以上、本発明に関する各部品又はモジュールのみについて説明したが、本発明はこれに限られない。情報送信装置１４００はさらに他の部品又はモジュールを含んでも良い。なお、これらの部品又はモジュールの具体的内容については、関連技術を参照することができる。
【０１１３】
また、便宜のため、図１４では、各部品又はモジュール間の連接関係又は信号方向のみが示されているが、当業者が理解すべきは、バスによる接続などの各種の関連技術を採用しても良いということである。さらに、上述の各部品又はモジュールは例えば処理器、記憶器、送信機、受信機などのハードウェアにより実現されても良いが、本発明の実施はこれに限定されない。
【０１１４】
上述の実施例から分かるように、送信装置は少なくとも時間領域リソースにおける一部のシンボルの数に基づいて、前記時間領域リソースに位置する復調参照信号を確定し、そのうち、前記時間領域リソースに含まれるシンボルの数はスロット又はサブフレームに含まれるシンボルの数以下であり。これにより、ｎｏｎ−ｓｌｏｔのデータ情報伝送をサポートすることができる。
【実施例４】
【０１１５】
本発明の実施例では情報受信装置が提供される。該装置は例えば端末装置であっても良く、端末装置に構成される１つ又は幾つかの部品又はモジュールであっても良い。但し、本発明はこれに限られず、例えば、ネットワーク装置であっても良く、ネットワーク装置に配置される１つ又は幾つかの部品又はモジュールであっても良い。また、本実施例４では実施例２と同じ内容の説明を省略する。
【０１１６】
図１５は本発明の実施例における情報受信装置を示す図であり、図１５に示すように、情報受信装置１５００は以下のものを含む。
【０１１７】
情報受信ユニット１５０１：送信装置から少なくとも時間領域リソースを使用して送信されるデータ情報及び復調参照信号を受信し、そのうち、前記復調参照信号は少なくとも前記時間領域リソースにおける一部のシンボルの数に基づいて確定され、前記時間領域リソースに含まれるシンボルの数はスロット又はサブフレームに含まれるシンボルの数以下である。
【０１１８】
なお、以上、本発明に関する各部品又はモジュールについて説明したが、本発明はこれに限られない。情報受信装置１５００はさらに他の部品又はモジュールを含んでも良い。なお、これらの部品又はモジュールの具体的な内容については、関連技術を参照することができる。
【０１１９】
また、便宜のために、図１５では、各部品又はモジュール間の接続関係又は信号方向のみが示されているが、当業者が理解すべきは、バスによる接続などの各種の関連技術を採用しても良いということである。さらに、上述の各部品又はモジュールは例えば処理器、記憶器、送信機、受信機などのハードウェアにより実現されても良いが、本発明の実施はこれに限定されない。
【０１２０】
上述の実施例から分かるように、送信装置は少なくとも時間領域リソースにおける一部のシンボルの数に基づいて、前記時間領域リソースに位置する復調参照信号を確定し、そのうち、前記時間領域リソースに含まれるシンボルの数はスロット又はサブフレームに含まれるシンボルの数以下である。これにより、ｎｏｎ−ｓｌｏｔのデータ情報伝送をサポートすることができる。
【実施例５】
【０１２１】
本発明の実施例はさらに通信システムを提供し、これは図１を参照することができる。なお、ここでは実施例１乃至実施例４と同じ内容の記載を省略する。本実施例では、通信システム１００は以下のものを含む。
【０１２２】
端末装置１０２：その中に実施例３に記載の情報送信装置１４００又は実施例４に記載の情報受信装置１５００が構成され；
ネットワーク装置１０１：端末装置１０２にサービスを提供する。
【０１２３】
本発明の実施例はさらにネットワーク装置を提供し、それは例えば基地局であっても良いが、本発明はこれに限られず、他のネットワーク装置であっても良い。
【０１２４】
図１６は本発明の実施例におけるネットワーク装置の構成図である。図１６に示すように、ネットワーク装置１６００は処理器１６１０（例えば、中央処理器ＣＰＵ）及び記憶器１６２０を含んでも良く、記憶器１６２０は処理器１６１０に接続される。そのうち、該記憶器１６２０は各種のデータを記憶することができ、また、情報処理用のプログラム１６３０を記憶し、且つ処理器１６１０の制御下で該プログラム１６３０を実行することもできる。
【０１２５】
また、図１６に示すように、ネットワーク装置１６００はさらに送受信機１６４０、アンテナ１６５０などを含んでも良い。そのうち、これらの部品の機能が従来技術と類似しているから、ここではその詳しい説明を省略する。なお、ネットワーク装置１６００は図１６に示すすべての部品を含む必要がない。また、ネットワーク装置１６００はさらに、図１６にない部品を含んでも良く、これについては従来技術を参照することができる。
【０１２６】
本発明の実施例はさらに端末装置を提供する。但し、本発明はこれに限られず、他の装置であっても良い。
【０１２７】
図１７は本発明の実施例における端末装置を示す図である。図１７に示すように、該端末装置１７００は処理器１７１０及び記憶器１７２０を含んでも良く、記憶器１７２０はデータ及びプログラムを記憶し、また、処理器１７１０に接続される。なお、該図は例示に過ぎず、他の類型の構造をもって、該構造に対して補充又は代替を行うことで、電気通信機能又は他の機能を実現しても良い。
【０１２８】
例えば、処理器１７１０は、プログラムを実行して、実施例１に記載の情報送信方法を実現するように構成されても良い。例えば、処理器１７１０は次の制御を行うように構成されても良く、即ち、少なくとも時間領域リソースにおける一部のシンボルの数に基づいて、前記時間領域リソースに位置する復調参照信号を確定し、そのうち、前記時間領域リソースに含まれるシンボルの数はスロット又はサブフレームに含まれるシンボルの数以下であり；及び、少なくとも前記時間領域リソースを使用して、受信装置にデータ情報及び前記復調参照信号を送信する。
【０１２９】
また、例えば、処理器１７１０はプログラムを実行して、実施例２に記載の情報受信方法を実現するように構成されても良い。例えば、処理器１７１０は次の制御を行うように構成されても良く、即ち、送信装置から少なくとも時間領域リソースを使用して送信されるデータ情報及び復調参照信号を受信し、そのうち、前記復調参照信号は少なくとも前記時間領域リソースにおける一部のシンボルの数に基づいて確定され、前記時間領域リソースに含まれるシンボルの数はスロット又はサブフレームに含まれるシンボルの数以下である。
【０１３０】
図１７に示すように、該端末装置１７００はさらに、通信モジュール１７３０、入力ユニット１７４０、表示器１７５０、電源１７６０を含んでも良い。そのうち、これらの部品の機能が従来技術と同様であるから、ここではその詳しい説明を省略する。なお、端末装置１７００は図１７に示すすべての部品を含む必要がない。また、端末装置１７００はさらに、図１７に無い部品を含んでも良いが、これについては従来技術を参照することができる。
【０１３１】
本発明の実施例はさらに計算機プログラムを提供し、そのうち、ネットワーク装置の中で前記プログラムを実行するときに、前記プログラムは前記ネットワーク装置に実施例１に記載の情報送信方法又は実施例２に記載の情報受信方法を実行させる。
【０１３２】
本発明の実施例はさらに計算機プログラムを記憶した記憶媒体を提供し、そのうち、前記計算機プログラムはネットワーク装置に実施例１に記載の情報送信方法又は実施例２に記載の情報受信方法を実行させる。
【０１３３】
本発明の実施例はさらに計算機プログラムを提供し、そのうち、端末装置の中で前記プログラムを実行するときに、前記プログラムは前記端末装置に実施例１に記載の情報送信方法又は実施例２に記載の情報受信方法を実行させる。
【０１３４】
本発明の実施例はさらに計算機プログラムを記憶した記憶媒体を提供し、そのうち、前記計算機プログラムは端末装置に実施例１に記載の情報送信方法又は実施例２に記載の情報受信方法を実行させる。
【０１３５】
また、上述の装置及び方法は、ソフトウェア又はハードウェアにより実現されても良く、ハードウェアとソフトウェアとの組み合わせにより実現されても良い。本発明は、さらに、下記のようなコンピュータ読み取り可能なプログラムに関し、即ち、該プログラムは、ロジック部品により実行されるときに、該ロジック部品に、上述の装置又は構成部品を実現させ、又は、該ロジック部品に、上述の各種の方法又はステップを実現させる。ロジック部品は、例えば、ＦＰＧＡ（Ｆｉｅｌｄ  Ｐｒｏｇｒａｍｍａｂｌｅ  Ｇａｔｅ  Ａｒｒａｙ）、マイクロプロセッサ、コンピュータに用いる処理器などであっても良い。本発明は、さらに、上述のプログラムを記憶した記憶媒体、例えば、ハードディスク、磁気ディスク、光ハードディスク、ＤＶＤ、フラッシュメモリなどにも関する。
【０１３６】
さらに、図面に記載の機能ブロックのうちの１つ又は複数の組み合わせ及び／又は機能ブロックの１つ又は複数の組み合わせは、本明細書に記載の機能を実行するための汎用処理器、デジタル信号処理器（ＤＳＰ）、特定用途向け集積回路（ＡＳＩＣ）、フィールドプログラマブルゲートアレイ（ＦＰＧＡ）又は他のプログラム可能な論理部品、ディスクリートゲート又はトランジスタ論理部品、ディスクリートハードウェアアセンブリ又は他の任意の適切な組む合わせとして実現されても良い。また、図面に記載の機能ブロックのうちの１つ又は複数の組み合わせ及び／又は機能ブロックの１つ又は複数の組み合わせは、さらに、計算装置の組み合わせ、例えば、ＤＳＰ及びマイクロプロセッサの組み合わせ、複数のマイクロプロセッサ、ＤＳＰと通信により接続される１つ又は複数のマイクロプロセッサ又は他の任意の構成の組み合わせとして構成されても良い。
【０１３７】
以上、本発明の好ましい実施形態を説明したが、本発明はこのような実施形態に限定されず、本発明の趣旨を離脱しない限り、本発明に対するあらゆる変更は本発明の技術的範囲に属する。
【０１３８】
また、上述の実施例などに関し、さらに以下の付記を開示する。
【０１３９】
（付記１）
情報送信方法であって、
送信装置が少なくとも時間領域リソースにおける一部のシンボルの数に基づいて、前記時間領域リソースに位置する復調参照信号を確定し、そのうち、前記時間領域リソースに含まれるシンボルの数はスロット又はサブフレームに含まれるシンボルの数以下であり；及び
前記送信装置が少なくとも前記時間領域リソースを使用して、受信装置にデータ情報及び前記復調参照信号を送信することを含む、方法。
【０１４０】
（付記２）
付記１に記載の方法であって、
前記時間領域リソースは、前記データ情報が占用する１つ又は複数のシンボル、及び前記復調参照信号が占用する１つ又は複数のシンボルを含む、方法。
【０１４１】
（付記３）
付記２に記載の方法であって、
前記時間領域リソースはさらに、自動利得制御のための少なくとも１つのシンボル及び／又はガード周期としての少なくとも１つのシンボルを含む、方法。
【０１４２】
（付記４）
付記１乃至３のうちの任意の１項に記載の方法であって、
前記時間領域リソースがサイドリンク情報の送信又は受信のために用いられる、方法。
【０１４３】
（付記５）
付記１乃至４のうちの任意の１項に記載の方法であって、
前記時間領域リソースにおける一部のシンボルの数は、前記時間領域リソースにおける自動利得制御のための少なくとも１つのシンボル及び／又はガード周期としての少なくとも１つのシンボルを除いた後の残りのシンボルの数である、方法。
【０１４４】
（付記６）
付記１乃至５のうちの任意の１項に記載の方法であって、
前記送信装置は少なくとも前記時間領域リソースにおける一部のシンボルの数に基づいて、前記時間領域リソースに位置する前記復調参照信号が占用するシンボルの数及び所在するシンボルの位置を確定する、方法。
【０１４５】
（付記７）
付記６に記載の方法であって、
前記復調参照信号が占用するシンボルの数及び所在するシンボルの位置はパラメータＤ、Ｃ及び△に基づいて確定され、
そのうち、Ｄは前記時間領域リソースにおける一部のシンボルの数であり、Ｃは前記復調参照信号の数のパラメータであり、△はシンボルを単位として行われる偏移を示す、方法。
【０１４６】
（付記８）
付記７に記載の方法であって、
前記復調参照信号の数のパラメータは、事前定義され；又は、ネットワーク装置により次のようなもののうちの少ない１つの情報又はシグナリングを用いて設定され、即ち、メイン情報ブロック、システム情報ブロック、無線リソース制御シグナリング、及び上りリンク制御情報である、方法。
【０１４７】
（付記９）
付記７又は８に記載の方法であって、
Ｄ及びＣの各種の組み合わせについて、△は独立して設定又は確定される、方法。
【０１４８】
（付記１０）
付記７乃至９のうちの任意の１項に記載の方法であって、
△は０以上且つ前記スロット又はサブフレームに含まれるシンボルの数以下である、方法。
【０１４９】
（付記１１）
付記１乃至１０のうちの任意の１項に記載の方法であって、
前記スロット又はサブフレームに含まれるシンボルの数が１４である、方法。
【０１５０】
（付記１２）
付記４に記載の方法であって、
サイドリンク時間領域リソースは連続した複数の上りリンクシンボルを含み、
前記サイドリンク時間領域リソースの後の１番目のシンボルが上りリンクシンボル又は柔軟設定シンボルである場合、前記サイドリンク時間領域リソースには、前記データ情報が占用する１つ又は複数のシンボル及び前記復調参照信号が占用する１つ又は複数のシンボル；又は、前記データ情報が占用する１つ又は複数のシンボル、前記復調参照信号が占用する１つ又は複数のシンボル、及び前記自動利得制御のための少なくとも１つのシンボルが含まれる、方法。
【０１５１】
（付記１３）
付記４に記載の方法であって、
サイドリンク時間領域リソースは連続した複数の上りリンクシンボルを含み、
前記サイドリンク時間領域リソースの後の１番目のシンボルが上りリンクシンボル又は柔軟設定シンボルである場合、前記サイドリンク時間領域リソースにはガード周期としてのシンボルが含まれない、方法。
【０１５２】
（付記１４）
付記４に記載の方法であって、
サイドリンク時間領域リソースは連続した複数の上りリンクシンボルを含み、
前記サイドリンク時間領域リソースの後の１番目のシンボルが上りリンクシンボルであり、且つ前記上りリンクシンボルがサイドリンク時間領域リソースに属しない場合、前記サイドリンク時間領域リソースには、前記データ情報が占用する１つ又は複数のシンボル及び前記復調参照信号が占用する１つ又は複数のシンボル；又は、前記データ情報が占用する１つ又は複数のシンボル、前記復調参照信号が占用する１つ又は複数のシンボル、及び前記自動利得制御のための少なくとも１つのシンボルが含まれる、方法。
【０１５３】
（付記１５）
付記４に記載の方法であって、
サイドリンク時間領域リソースは連続した複数の上りリンクシンボルを含み、
前記サイドリンク時間領域リソースの後の１番目のシンボルが上りリンクシンボルであり、且つ前記上りリンクシンボルがサイドリンク時間領域リソースに属しない場合、前記サイドリンク時間領域リソースには、ガード周期としてのシンボルが含まれない、方法。
【０１５４】
（付記１６）
付記４に記載の方法であって、
複数のサイドリンク時間領域リソースは時間領域上で連続したシンボルを占用し、
最後のサイドリンク時間領域リソースには、前記データ情報が占用する１つ又は複数のシンボル、前記復調参照信号が占用する１つ又は複数のシンボル、及び自動利得制御のための少なくとも１つのシンボル及び／又はガード周期としての少なくとも１つのシンボルが含まれ、
他のサイドリンク時間領域リソースには、前記データ情報が占用する１つ又は複数のシンボル及び前記復調参照信号が占用する１つ又は複数のシンボル；又は、前記データ情報が占用する１つ又は複数のシンボル、前記復調参照信号が占用する１つ又は複数のシンボル、及び前記自動利得制御のための少なくとも１つのシンボルが含まれる、方法。
【０１５５】
（付記１７）
付記４に記載の方法であって、
複数のサイドリンク時間領域リソースは時間領域上で連続したシンボルを占用し、
最後のサイドリンク時間領域リソースには、ガード周期としてのシンボルが含まれ、
他のサイドリンク時間領域リソースにはガード周期としてのシンボルが含まれない、方法。
【０１５６】
（付記１８）
付記１乃至１７のうちの任意の１項に記載の方法であって、
前記方法はさらに、
複数のスロット又はサブフレームにおける候補時間領域リソースを設定することを含む、方法。
【０１５７】
（付記１９）
付記１８に記載の方法であって、
前記複数のスロット又はサブフレームにおける候補時間領域リソースは事前定義のルールに従って確定され；又は、ネットワーク装置により次のようなもののうちの１つの情報又はシグナリングを用いて設定され、即ち、メイン情報ブロック、システム情報ブロック、無線リソース制御シグナリング、及び上りリンク制御情報である、方法。
【０１５８】
（付記２０）
付記１８又は１９に記載の方法であって、
初期時間領域リソース指示及第一周期パラメータにより、開始スロット又はサブフレームにおける候補時間領域リソースに対して設定を行う、方法。
【０１５９】
（付記２１）
付記１８又は１９に記載の方法であって、
複数の時間領域リソース指示により、開始スロット又はサブフレームにおける候補時間領域リソースに対応し設定を行う、方法。
【０１６０】
（付記２２）
付記２０又は２１に記載の方法であって、さらに、
前記開始スロット又はサブフレームに対してスロット又はサブフレームを周期として重複を行い、前記複数のスロット又はサブフレームにおける候補時間領域リソースを得る、方法。
【０１６１】
（付記２３）
付記１８又は１９に記載の方法であって、
初期時間領域リソース指示及び第二周期パラメータにより、前記複数のスロット又はサブフレームにおける候補時間領域リソースに対して設定を行う、方法。
【０１６２】
（付記２４）
付記１８乃至２３のうちの任意の１項に記載の方法であって、
前記方法はさらに、
候補時間領域リソースのうちから複数のスロット又はサブフレームにおける時間領域リソースを確定する、方法。
【０１６３】
（付記２５）
付記２４に記載の方法であって、
前記複数のスロット又はサブフレームにおける時間領域リソースは前記送信装置及び前記受信装置が事前定義のルールに従って確定し；又は、ネットワーク装置がビットマップに基づいて前記送信装置及び／又は前記受信装置に指示することで確定する、方法。
【０１６４】
（付記２６）
付記２５に記載の方法であって、
前記ビットマップは前記ネットワーク装置が次のようなもののうちの１つの情報又はシグナリングにより設定し、即ち、メイン情報ブロック、システム情報ブロック、無線リソース制御シグナリング、及び上りリンク制御情報である、方法。
【０１６５】
（付記２７）
情報受信方法であって、
受信装置が送信装置から少なくとも時間領域リソースを使用して送信されるデータ情報及び復調参照信号を受信することを含み、
前記復調参照信号は少なくとも前記時間領域リソースにおける一部のシンボルの数に基づいて確定され、前記時間領域リソースに含まれるシンボルの数はスロット又はサブフレームに含まれるシンボルの数以下である、方法。
【０１６６】
（付記２８）
付記２７に記載の方法であって、
前記時間領域リソースにおける一部のシンボルの数は前記時間領域リソースにおける自動利得制御のための少なくとも１つのシンボル及び／又はガード周期としての少なくとも１つのシンボルを除いた後の残りのシンボルの数である、方法。
【０１６７】
（付記２９）
ネットワーク装置であって、
記憶器及び処理器を含み、前記記憶器には計算機プログラムが記憶され、前記処理器は前記計算機プログラムを実行して付記１乃至付記２８のうちの任意の１項に記載の方法を実現するように構成される、ネットワーク装置。
【０１６８】
（付記３０）
端末装置であって、
記憶器及び処理器を含み、前記記憶器には計算機プログラムが記憶され、前記処理器は前記計算機プログラムを実行して付記１乃至付記２８のうちの任意の１項に記載の方法を実現するように構成される、端末装置。
【図１】
2021531687.tif 000005
【図２】
2021531687.tif 000006
【図３】
2021531687.tif 000007
【図４】
2021531687.tif 000008
【図５】
2021531687.tif 000009
【図６】
2021531687.tif 000010
【図７】
2021531687.tif 000011
【図８】
2021531687.tif 000012
【図９】
2021531687.tif 000013
【図１０】
2021531687.tif 000014
【図１１】
2021531687.tif 000015
【図１２】
2021531687.tif 000016
【図１３】
2021531687.tif 000017
【図１４】
2021531687.tif 000018
【図１５】
2021531687.tif 000019
【図１６】
2021531687.tif 000020
【図１７】
2021531687.tif 000021
【手続補正書】
【提出日】令和3年1月22日(2021.1.22)
【手続補正１】
【補正対象書類名】特許請求の範囲
【補正対象項目名】全文
【補正方法】変更
【補正の内容】
【特許請求の範囲】
【請求項１】
情報送信装置であって、
少なくとも時間領域リソースにおける一部のシンボルの数に基づいて、前記時間領域リソースに位置する復調参照信号を確定するプロセッサーであって、前記時間領域リソースに含まれるシンボルの数はスロット又はサブフレームに含まれるシンボルの数以下である、プロセッサー；及び
少なくとも前記時間領域リソースを使用して、データ情報及び前記復調参照信号を送信するトランスミッターを含む、情報送信装置。
【請求項２】
請求項１に記載の情報送信装置であって、
前記時間領域リソースは、前記データ情報が占用する１つ又は複数のシンボル、及び前記復調参照信号が占用する１つ又は複数のシンボルを含む、情報送信装置。
【請求項３】
請求項２に記載の情報送信装置であって、
前記時間領域リソースはさらに、自動利得制御のための少なくとも１つのシンボル及び／又はガード周期としての少なくとも１つのシンボルを含む、情報送信装置。
【請求項４】
請求項１に記載の情報送信装置であって、
前記時間領域リソースがサイドリンク情報の送信又は受信のために用いられ、
前記時間領域リソースにおける一部のシンボルの数は前記時間領域リソースにおける自動利得制御のための少なくとも１つのシンボル及び／又はガード周期としての少なくとも１つのシンボルを除いた後の残りのシンボルの数である、情報送信装置。
【請求項５】
請求項１に記載の情報送信装置であって、
前記プロセッサーは、少なくとも前記時間領域リソースにおける一部のシンボルの数に基づいて、前記時間領域リソースに位置する前記復調参照信号が占用するシンボルの数及び該シンボルの位置を確定する、情報送信装置。
【請求項６】
請求項５に記載の情報送信装置であって、
前記復調参照信号が占用するシンボルの数及び所在するシンボルの位置はパラメータＤ、Ｃ及び△に基づいて確定され、
Ｄは前記時間領域リソースにおける一部のシンボルの数であり、Ｃは前記復調参照信号の数のパラメータであり、△はシンボルを単位として行われるオフセットを示す、情報送信装置。
【請求項７】
請求項６に記載の情報送信装置であって、
前記復調参照信号の数パラメータは、事前定義され；又は、ネットワーク装置により、メイン情報ブロック、システム情報ブロック、無線リソース制御シグナリング、及び上りリンク制御情報のうちの１つにより設定される、情報送信装置。
【請求項８】
請求項６に記載の情報送信装置であって、
Ｄ及びＣの各種の組み合わせについて、△は独立して設定又は確定され、
△は０以上且つ前記スロット又はサブフレームに含まれるシンボルの数以下である、情報送信装置。
【請求項９】
請求項４に記載の情報送信装置であって、
サイドリンク時間領域リソースが、連続した複数の上りリンクシンボルを含み、
前記サイドリンク時間領域リソースの後の１番目のシンボルが上りリンクシンボル又は柔軟設定シンボルであり、或いは、前記サイドリンク時間領域リソースの後の１番目のシンボルが上りリンクシンボルであり且つ前記上りリンクシンボルがサイドリンク時間領域リソースに属しない場合、前記サイドリンク時間領域リソースには、前記データ情報が占用する１つ又は複数のシンボル及び前記復調参照信号が占用する１つ又は複数のシンボル、或いは、前記データ情報が占用する１つ又は複数のシンボル、前記復調参照信号が占用する１つ又は複数のシンボル、及び前記自動利得制御のための少なくとも１つのシンボルが含まれる、情報送信装置。
【請求項１０】
請求項４に記載の情報送信装置であって、
複数のサイドリンク時間領域リソースが時間領域上で連続したシンボルを占用し、
最後のサイドリンク時間領域リソースには、前記データ情報が占用する１つ又は複数のシンボル、前記復調参照信号が占用する１つ又は複数のシンボル、及び前記自動利得制御のための少なくとも１つのシンボル及び／又は前記ガード周期としての少なくとも１つのシンボルが含まれ、
他のサイドリンク時間領域リソースには、前記データ情報が占用する１つ又は複数のシンボル及び前記復調参照信号が占用する１つ又は複数のシンボル、或いは、前記データ情報が占用する１つ又は複数のシンボル、前記復調参照信号が占用する１つ又は複数のシンボル、及び前記自動利得制御のための少なくとも１つのシンボルが含まれる、情報送信装置。
【請求項１１】
請求項１に記載の情報送信装置であって、
前記プロセッサーは、複数のスロット又はサブフレームにおける候補時間領域リソースを設定する、情報送信装置。
【請求項１２】
請求項１１に記載の情報送信装置であって、
前記複数のスロット又はサブフレームにおける候補時間領域リソースは、事前定義のルールに従って確定され、或いは、ネットワーク装置により、メイン情報ブロック、システム情報ブロック、無線リソース制御シグナリング、及び上りリンク制御情報のうちの１つを用いて設定される、情報送信装置。
【請求項１３】
請求項１１に記載の情報送信装置であって、
前記プロセッサーは、初期時間領域リソース指示及び第一周期パラメータにより、開始スロット又はサブフレームにおける候補時間領域リソースに対して設定を行い、或いは、複数の時間領域リソース指示により開始スロット又はサブフレームにおける候補時間領域リソースに対して設定を行う、情報送信装置。
【請求項１４】
請求項１３に記載の情報送信装置であって、
前記プロセッサーは、前記開始スロット又はサブフレームに対してスロット又はサブフレームを周期として重複を行い、前記複数のスロット又はサブフレームにおける候補時間領域リソースを得る、情報送信装置。
【請求項１５】
請求項１１に記載の情報送信装置であって、
前記プロセッサーは、初期時間領域リソース指示及び第二周期パラメータにより前記複数のスロット又はサブフレームにおける候補時間領域リソースに対して設定を行う、情報送信装置。
【請求項１６】
請求項１１に記載の情報送信装置であって、
前記プロセッサーは、前記候補時間領域リソースのうちから複数のスロット又はサブフレームにおける時間領域リソースを確定する、情報送信装置。
【請求項１７】
請求項１６に記載の情報送信装置であって、
前記複数のスロット又はサブフレームにおける時間領域リソースは、前記送信装置及び前記受信装置により事前定義のルールに従って確定され、或いは、ネットワーク装置によりビットマップを用いて前記送信装置及び／又は前記受信装置に指示することで確定される、情報送信装置。
【請求項１８】
請求項１７に記載の情報送信装置であって、
前記ビットマップは、前記ネットワーク装置により、メイン情報ブロック、システム情報ブロック、無線リソース制御シグナリング、及び上りリンク制御情報のうちの１つにより設定される、情報送信装置。
【請求項１９】
情報受信装置であって、
送信装置から少なくとも時間領域リソースを使用して送信されるデータ情報及び復調参照信号を受信するレシーバーを含み、
前記復調参照信号は少なくとも前記時間領域リソースにおける一部のシンボルの数に基づいて確定され、前記時間領域リソースに含まれるシンボルの数はスロット又はサブフレームに含まれるシンボルの数以下である、情報受信装置。
【請求項２０】
通信システムであって、
請求項１に記載の情報送信装置を含む送信装置；及び
請求項１９に記載の情報受信装置を含む受信装置を含む、通信システム。
【国際調査報告】
2021531687.tif 000022
2021531687.tif 000023
2021531687.tif 000024
2021531687.tif 000025